【手続補正書】
【提出日】平成28年10月17日(2016.10.17)
【手続補正１】
【補正対象書類名】特許請求の範囲
【補正対象項目名】全文
【補正方法】変更
【補正の内容】
【特許請求の範囲】
【請求項１】
映像を撮像する少なくとも１つの撮像部と、
音声を収音する収音部と、
前記少なくとも１つの撮像部により撮像された映像データを表示する表示部と、
表示された前記映像データの任意の位置指定に応じて、前記収音部から、指定された前記映像データの指定位置に対応する音声位置に向かう指向方向を算出する指向方向算出部と、
算出された前記指向方向に、前記収音部により収音された音声に対して指向性を形成する制御部と、を備え、
前記制御部は、前記音声位置が予め設定された保護領域に含まれると判定した場合に、前記収音部により収音されて前記指向性が形成された音声の出力を制御する、
指向性制御システム。
【請求項２】
映像を撮像する少なくとも１つの撮像部と音声を収音する収音部とを含む指向性制御システムにおける音声出力制御方法であって、
前記少なくとも１つの撮像部により撮像された映像データを表示するステップと、
表示された前記映像データの任意の位置指定に応じて、前記収音部から、指定された前記映像データの指定位置に対応する音声位置に向かう指向方向を算出するステップと、
算出された前記指向方向に、前記収音部により収音された音声に対して指向性を形成するステップと、
前記音声位置が予め設定された保護領域に含まれるか否かを判定するステップと、
前記音声位置が前記保護領域に含まれると判定された場合に、前記収音部により収音されて前記指向性が形成された音声の出力を制御するステップと、を有する、
音声出力制御方法。
【請求項３】
請求項２に記載の音声出力制御方法であって、更に、
指定された前記映像データの指定位置に対応する音声位置が前記保護領域に含まれる旨を通知するステップを有する、
音声出力制御方法。
【請求項４】
請求項３に記載の音声出力制御方法であって、
前記通知するステップは、表示によって通知を行う、
音声出力制御方法。
【請求項５】
請求項３に記載の音声出力制御方法であって、
前記通知するステップは、アラーム音によって通知を行う、
音声出力制御方法。
【請求項６】
請求項２に記載の音声出力制御方法であって、
前記制御するステップでは、前記収音部により収音されて前記指向性が形成された音声の音声データをミュート処理、マスキング処理又はボイスチェンジ処理することで、前記収音部により収音されて前記指向性が形成された音声の出力を制御する、
音声出力制御方法。
【請求項７】
映像を撮像する少なくとも１つの撮像部と音声を収音する収音部とを含む指向性制御システムを制御するために、
前記少なくとも１つの撮像部により撮像された映像データを表示するステップと、
表示された前記映像データの任意の位置指定に応じて、前記収音部から、指定された前記映像データの指定位置に対応する音声位置に向かう指向方向を算出するステップと、
算出された前記指向方向に、前記収音部により収音された音声に対して指向性を形成するステップと、
前記音声位置が予め設定された保護領域に含まれるか否かを判定するステップと、
前記音声位置が前記保護領域に含まれると判定された場合に、前記収音部により収音されて前記指向性が形成された音声の出力を制御するステップと、
を実行させるためのプログラムをコンピュータに記録したコンピュータ読み取り可能な記録媒体。
【手続補正２】
【補正対象書類名】明細書
【補正対象項目名】発明の名称
【補正方法】変更
【補正の内容】
【発明の名称】指向性制御システム、音声出力制御方法及び記録媒体
【手続補正３】
【補正対象書類名】明細書
【補正対象項目名】０００１
【補正方法】変更
【補正の内容】
【０００１】
本発明は、収音空間内に存在するプライバシー保護領域内において収音された音声データの出力を制御する指向性制御システム、音声出力制御方法及び記録媒体に関する。 
【手続補正４】
【補正対象書類名】明細書
【補正対象項目名】００１１
【補正方法】変更
【補正の内容】
【００１１】
本発明は、上述した従来の課題を解決するために、マイクアレイ装置から指定された音声位置に向かう指向方向に、収音された音声に対する指向性を形成し、音声位置が所定のプライバシー保護領域である場合、あるいは収音時刻や録音時刻が所定のプライバシー保護時間内にある場合に、マイクアレイ装置により収音された音声又は収音されて指向性が形成された音声の出力を制御し、あるいは音声の収音を休止させる指向性制御システム、音声出力制御方法及び記録媒体を提供することを目的とする。 
【手続補正５】
【補正対象書類名】明細書
【補正対象項目名】００１２
【補正方法】変更
【補正の内容】
【００１２】
本発明は、映像を撮像する少なくとも１つの撮像部と、音声を収音する収音部と、前記少なくとも１つの撮像部により撮像された映像データを表示する表示部と、表示された前記映像データの任意の位置指定に応じて、前記収音部から、指定された前記映像データの指定位置に対応する音声位置に向かう指向方向を算出する指向方向算出部と、算出された前記指向方向に、前記収音部により収音された音声に対して指向性を形成する制御部と、を備え、前記制御部は、前記音声位置が予め設定された保護領域に含まれると判定した場合に、前記収音部により収音されて前記指向性が形成された音声の出力を制御する、指向性制御システムである。 
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
また、本発明は、映像を撮像する少なくとも１つの撮像部と音声を収音する収音部とを含む指向性制御システムにおける音声出力制御方法であって、前記少なくとも１つの撮像部により撮像された映像データを表示するステップと、表示された前記映像データの任意の位置指定に応じて、前記収音部から、指定された前記映像データの指定位置に対応する音声位置に向かう指向方向を算出するステップと、算出された前記指向方向に、前記収音部により収音された音声に対して指向性を形成するステップと、前記音声位置が予め設定された保護領域に含まれるか否かを判定するステップと、前記音声位置が前記保護領域に含まれると判定された場合に、前記収音部により収音されて前記指向性が形成された音声の出力を制御するステップと、を有する、音声出力制御方法である。 
【手続補正８】
【補正対象書類名】明細書
【補正対象項目名】００１５
【補正方法】変更
【補正の内容】
【００１５】
また、本発明は、映像を撮像する少なくとも１つの撮像部と音声を収音する収音部とを含む指向性制御システムを制御するために、前記少なくとも１つの撮像部により撮像された映像データを表示するステップと、表示された前記映像データの任意の位置指定に応じて、前記収音部から、指定された前記映像データの指定位置に対応する音声位置に向かう指向方向を算出するステップと、算出された前記指向方向に、前記収音部により収音された音声に対して指向性を形成するステップと、前記音声位置が予め設定された保護領域に含まれるか否かを判定するステップと、前記音声位置が前記保護領域に含まれると判定された場合に、前記収音部により収音されて前記指向性が形成された音声の出力を制御するステップと、を実行させるためのプログラムをコンピュータに記録したコンピュータ読み取り可能な記録媒体である。 
【手続補正９】
【補正対象書類名】明細書
【補正対象項目名】０２７１
【補正方法】変更
【補正の内容】
【０２７１】
本発明は、マイクアレイ装置から指定された音声位置に向かう指向方向に、収音された音声の指向性を形成し、指定された音声位置が所定のプライバシー保護領域である場合に、あるいは収音時刻や録音時刻が所定のプライバシー保護時間内にある場合に、マイクアレイ装置により収音された音声又は収音されて指向性が形成された音声の出力を制御し、あるいは音声の収音を休止させる指向性制御システム、音声出力制御方法及び記録媒体として有用である。